(57)【特許請求の範囲】
【請求項１】
天板13中央部に透孔14を穿設して、該透孔周縁からステム嵌合筒15を垂下すると共に、天板周縁から起立する周壁16前部を斜上前方へ傾斜突出して下嘴状部17としたヘッド本体12と、
上記下嘴状部17に対応する上嘴状部23を前方突出する頂板22で、上記ヘッド本体上面を閉塞する蓋板21と、
上記ヘッド本体の下嘴状部17を除く周壁部分外面へ嵌合壁32を固着させ、該嵌合壁部分上端に付設した内向きフランジ状壁33と、下嘴状部17を除くヘッド本体周壁部分の上面とで、上嘴状部23を除く蓋体頂板の外周部分を挟持させた押え部材31とからなり、
上記内向きフランジ状壁33の内端下方の頂板部分および該頂板部分の内周辺部分を肉薄の弾性変形板部24とすると共に、上嘴状部23を除く頂板部分前部から垂下した支持棒25下端を、透孔14と下嘴状部17基端との間の天板部分上面へ載置させ、
又上嘴状部23の左右両側部からは下嘴状部17の左右両側壁内面に水密に接してシール板26,26 を垂設し、
頂板22後部の押下げにより、上記弾性変形板部24が弾性変形して、上下両嘴状部が形成するノズル35の前端部が開口可能に形成した、
ことを特徴とするポンプ式液体注出器の押下げヘッド。
【請求項２】
天板１３前部を一定巾前方延長して該延長板部１３ａ  を下嘴状部１７の基端側底板部とすると共に、頂板外周部からは、該押下げヘッドを嵌合させるポンプ式液体注出器のシリンダ付き装着筒から起立するガイド筒２ａへ摺動可能に嵌合させるガイド周壁１９を垂下した、
ことを特徴とする請求項１記載の押下げヘッド。
【発明の詳細な説明】
【０００１】
【発明の属する技術分野】
本発明は、ポンプ式液体注出器の押下げヘッドに関する。
【０００２】
【従来の技術】
例えば実開平７‐４６３６１  号公報が示すように、従来ポンプ式液体注出器は、容器体内に垂下させるシリンダ内から、ステム下部に筒状ピストンを有しかつステム上端にノズル付き押下げヘッドを嵌着させた作動部材を、上方付勢させて起立し、該作動部材の上下動で容器体内液体をシリンダ内に吸上げ、かつ該シリンダ内液体を上記ノズルから噴出できるよう設けており、その押下げヘッドは、シリンダ内からステム内を通って押出された液体を、そのままノズルから噴出するよう設けられている。
【０００３】
【発明が解決しようとする課題】
上記のように従来のポンプ式液体注出器の押下げヘッドは、ステムを介して押出された液体をそのままノズルから噴出するよう設けているが、例えば上記液体注出器を、比較的少量宛使用する化粧用液体、特に高粘度の液体注出用の液体注出器として使用しようとすると、注出液体量の調整が困難となり、又ノズル先端からの液垂れを生じ易い。
【０００４】
本発明は押下げヘッドのノズルを、押下げヘッドの押圧面を形成する頂板押下げにより開口し、又その押下げ解放により弾性閉塞するよう設けることで上記欠点を除去するものである。
【０００５】
【課題を解決するための手段】
第１の手段として、天板１３中央部に透孔１４を穿設して、該透孔周縁からステム嵌合筒１５を垂下すると共に、天板周縁から起立する周壁１６前部を斜上前方へ傾斜突出して下嘴状部１７としたヘッド本体１２と、
【０００６】
上記下嘴状部１７に対応する上嘴状部２３を前方突出する頂板２２で、上記ヘッド本体上面を閉塞する蓋板２１と、
【０００７】
上記ヘッド本体の下嘴状部１７を除く周壁部分外面へ嵌合壁３２を固着させ、該嵌合壁部分上端に付設した内向きフランジ状壁３３と、下嘴状部１７を除くヘッド本体周壁部分の上面とで、上嘴状部２３を除く蓋体頂板の外周部分を挟持させた押え部材３１とからなり、
【０００８】
上記内向きフランジ状壁33の内端下方の頂板部分および該頂板部分の内周辺部分を肉薄の弾性変形板部24とすると共に、上嘴状部23を除く頂板部分前部から垂下した支持棒25下端を、透孔14と下嘴状部17基端との間の天板部分上面へ載置させ、
【０００９】
又上嘴状部２３の左右両側部からは下嘴状部１７の左右両側壁内面に水密に接してシール板２６，  ２６を垂設し、
【００１０】
頂板２２後部の押下げにより、上記弾性変形板部２４が弾性変形して、上下両嘴状部が形成するノズル３５の前端部が開口可能に形成した。
【００１１】
第２の手段として、上記第１の手段を有すると共に天板１３前部を一定巾前方延長して該延長板部１３ａ  を下嘴状部１７の基端側底板部とすると共に、頂板外周部からは、該押下げヘッドを嵌合させるポンプ式液体注出器のシリンダ付き装着筒から起立するガイド筒２ａへ摺動可能に嵌合させるガイド周壁１９を垂下した。
【００１２】
【発明の実施の形態】
本発明の押下げヘッドは、ポンプ式液体注出器のステム上端に嵌合させるもので、まずそのポンプ式液体注出器１について簡単に説明すると、２は容器体口頸部外面へ螺合させる装着筒で、容器体内へ垂下させるシリンダ３を吊下げ、該シリンダ下端からは容器体内液体吸上げ用のパイプ４を垂下する。シリンダ３内からは作動部材５を上方付勢させて起立する。該作動部材は、ステム６下端に筒状ピストン７を、又ステム上端にノズル付きの押下げヘッド１１をそれぞれ嵌合させ、該作動部材の上下動で容器体内液体をシリンダ内へ吸上げ、かつ該シリンダ内液体をステム６を通って押下げヘッドのノズルから注出するものである。図示例ではポペット８下端とシリンダ下部内面とで吸込み弁を、又筒状ピストン７を一定範囲ステム下部に対して上下動可能として、その筒状ピストンとステム下部に穿設した弁孔とで吐出弁を形成している。但し該ポンプ式液体注出器は、作動部材の上下動でポンプを作動するよう設けたものであればどのようなものでもよい。
【００１３】
本発明の押下げヘッド１１は、ヘッド本体と蓋板と押え部材とで形成している。ヘッド本体１２は、天板１３中央部に透孔１４を穿設し、該透孔周縁からステム嵌合筒１５を垂下する。又天板周縁から周壁１６を起立し、該周壁前部を一定巾斜上前方へ傾斜突出して下嘴状部１７としている。上記透孔１４と下嘴状部基端との間の天板部分上面には凹部１８を穿設するとよい。
【００１４】
図示のようにその下嘴状部１７は、天板１３前部を一定巾前方延長して、その延長板部１３ａ  を下嘴状部１７の基端側の底板部として下嘴状部１７を前方へ長く突出することが望ましい。又天板１３外周部からは、該押下げヘッドを嵌合させるポンプ式液体注出器のシリンダ付き装着筒２から起立するガイド筒２ａへ摺動可能に嵌合させるガイド周壁１９を垂下するとよく、このようにすることで、本発明押下げヘッドを使用する液体注出器の外見を向上でき、又作動部材上下動時におけるグラつきを防止することが出来る。
【００１５】
２１は、上記ヘッド本体１２上面を閉塞する蓋板で、頂板２２から既述下嘴状部１７に対応する上嘴状部２３を前方突出する。蓋板２１は図示のように逆浅皿状としており、その平面外形は、ヘッド本体１２の平面外形と同一とし、ヘッド本体上面へ蓋板２１を載置したとき、下嘴状部１７上面へ上嘴状部２３が、又下嘴状部を除く周壁１６部分上面へ、上嘴状部２３を除く頂板部分の外周部上面を載置できるよう設けている。該上嘴状部２３を除く頂板部分の外縁部は図示のように肉薄の弾性変形板部２４とする。尚この点については後述する。上嘴状部２３直ぐ後方の頂板部分からは支持棒２５を垂下してその下端を凹部１８内へ係止させ、又上嘴状部２３の左右両側部からは、下嘴状部１７の左右両側壁内面に水密に接するシール板２６，  ２６を垂下している。図４が示すように、支持棒２５は小間隙をおいて左右二個垂設し、それ等支持棒前面にシール板２６，  ２６を接続させてもよい。
【００１６】
３１は上記蓋板２１の押え部材で、既述ヘッド本体１２の下嘴状部１７を除く周壁部分外面へ固着させた嵌合壁３２を有し、かつ該嵌合壁上端から内向きフランジ状壁３３を突設して、該内向きフランジ状壁３３を、蓋板２１の上嘴状部２３を除く頂板外周部分上面へ載置させ、該外周部分をヘッド本体１２の周壁１６部分上面とで挟持させている。図３のように嵌合壁３２内面には突条３４を横設して、該突条を既述周壁１６の凹溝１６ａ  内へ嵌合させて周壁１６に対して押え部材３１を固着している。
【００１７】
既述蓋板２１の弾性変形板部２４は、少くとも上記内向きフランジ状壁３３の内端下方の頂板部分および該頂板部分内方の頂板部分で形成し、図２が示すように、頂板２２後部の押下げにより、上記弾性変形板部２４が弾性変形することで、その弾性変形板部２４内方の頂板中央部が支持棒２５下端を支点として下降し、よって上嘴状部２３前部が揺動により上昇して、上下両嘴状部２３，  １７が形成するノズル３５の前端が開口するよう設けている。
【００１８】
既述のヘッド本体１２，蓋板２１，押え部材３１はそれぞれ合成樹脂材で形成している。
【００１９】
本発明の押下げヘッド１１を、図１が示すように液体注出器１のステム６上端部に嵌着させ、又該液体注出器を容器体口頸部に嵌合させておき、該状態から押下げヘッド１１を押下げすると、図２が示すようにノズル３５の前端が開口し、又作動部材５が下降することでシリンダ内液体はステム６を通り、又ヘッド本体１２上面と蓋板２１との間を通ってノズル３５前端から注出する。所望量の液体注出後押下げヘッド１１を離すと、蓋板２１は弾性変形板部２４が弾性復元することでノズル前端を閉塞すると共に作動部材５は付勢されているため上昇する。
【００２０】
【発明の効果】
本発明は既述構成とするもので、請求項１記載の押下げヘッドは押え部材３１の内向きフランジ状壁３３内端下方の頂板部分および該頂板部分内方の頂板部分を肉薄の弾性変形板部２４とし、かつ上嘴状部２３を除く頂板部分の前部から垂下した支持棒２５下端を、ヘッド本体天板１３の透孔１４と下嘴状部１７基端との間の天板部分上面へ載置させたから、頂板２２後部の押下げにより上記支持棒２５下端を支点として、弾性変形板部２４の後方部分は図２が示すように下方へ弾性弯曲し、又前方部分は上方へ弾性変形することとなって、確実に両嘴状部が形成するノズル３５を開くことが出来、又上記押下げ解放により弾性変形板部２４を弾性復元させてノズルを閉塞させることが出来、よって比較的高粘度の液体を少量宛注出するのに便利である。
【００２１】
又上嘴状部２３の左右両側部から下嘴状部１７の左右両側壁内面に、水密に接してシール板２６，  ２６を垂下したから、ノズル開口時にノズル前端だけが開口してノズル両側部を閉塞したままとすることが出来る。
【００２２】
請求項２記載の押下げヘッドの場合は上記効果を有するほか、ヘッド本体の天板１３前部を一定巾前方延長して該延長板部を下嘴状部１７の基端側底板部としたから、両嘴状部で形成するノズルの前方突出長さを大として注出液体の取出しが容易となり、又ポンプ式液体注出器のシリンダ付き装着筒から起立するガイド筒２ａへ摺動可能に嵌合させるガイド周壁１９を垂設したから、押下げヘッドの外見を向上できるほか、押下げヘッドを嵌合させた作動部材５の上下動を円滑とすることが出来る。
【図面の簡単な説明】
【図１】本発明の押下げヘッドを有する、ポンプ式液体注出器の断面図である。
【図２】図１の液体注出器をノズル開口状態で示す断面図である。
【図３】本発明押下げヘッドの分解斜視図である。
【図４】図３押下げヘッドの蓋板を下方からみた斜視図である。
【符号の説明】
１２…ヘッド本体              １７…下嘴状部          ２１…蓋板
２３…上嘴状部                  ２５…支持棒            ３１…押え部材
【図１】
0003628796.tif 000002
【図２】
0003628796.tif 000003
【図３】
0003628796.tif 000004
【図４】
0003628796.tif 000005